(57)【要約】【課題】  キャップを比較的に容易に製造することができる設計としながら、高齢者などの握力が弱い方でも開封ができる樹脂製ボトル容器の提供を目的とする。【解決手段】本発明の樹脂製ボトル容器は、液体を収容可能な中空の容器本体部と、前記容器本体部の一部に突設され外側に螺条部を有し内側が前記液体の流路となる首部とを有する樹脂製ボトルと、前記樹脂製ボトルの前記首部の外側の前記螺条部に螺合する螺条部を内側に有する蓋部と、首部基端側に配設され未開封時には前記蓋部に切り取り部を介して連結される係止部とを有する樹脂製キャップと有する樹脂製ボトル容器であって、前記樹脂製キャップの前記係止部に径方向外側に突出する突出部を有することを特徴とする。【選択図】  図１
2019182493.tif 000002
【特許請求の範囲】
【請求項１】
液体を収容可能な中空の容器本体部と、前記容器本体部の一部に突設され外側に螺条部を有し内側が前記液体の流路となる首部とを有する樹脂製ボトルと、
前記樹脂製ボトルの前記首部の外側の前記螺条部に螺合する螺条部を内側に有する蓋部と、首部基端側に配設され未開封時には前記蓋部に切り取り部を介して連結され且つ開封時に前記切り取り部の破断により前記蓋部と分離する係止部とを有する樹脂製キャップと有する樹脂製ボトル容器であり、
前記樹脂製キャップの前記係止部に径方向外側に突出する突出部を有することを特徴とする樹脂製ボトル容器。
【請求項２】
請求項１記載の樹脂製ボトル容器であって、前記樹脂製キャップの前記係止部は、所定の肉厚の円環状部材であり、該円環状部材の内側には、抜け止め片が突設され、開封時には前記抜け止め片が前記樹脂製ボトルの前記首部に形成された鍔部に当たることで軸方向に係り止められ、前記切り取り部が破断して前記蓋部と前記係止部が分離することを特徴とする樹脂製ボトル容器。
【請求項３】
請求項２記載の樹脂製ボトル容器であって、前記抜け止め片は複数の互いに離間した突設片からなり、複数の該突設片の離間した領域に単数若しくは複数の前記突出部が形成されることを特徴とする樹脂製ボトル容器。
【請求項４】
請求項２記載の樹脂製ボトル容器であって、前記突出部は前記係止部と同程度の肉厚を有してなることを特徴とする樹脂製ボトル容器。
【請求項５】
請求項２記載の樹脂製ボトル容器であって、前記樹脂製キャップは前記突出部を含んで一体に成形されることを特徴とする樹脂製ボトル容器。
【請求項６】
請求項２記載の樹脂製ボトル容器であって、前記突出部の表面にはリッジ部が形成されることを特徴とする樹脂製ボトル容器。
【請求項７】
請求項２記載の樹脂製ボトル容器であって、前記突出部の側部には、前記切り取り部と同様に破断可能な破断部が形成され、当該容器の開封後に前記破断部を破断して前記係止部を当該樹脂製ボトルの前記首部から離脱することを特徴とする樹脂製ボトル容器。
【請求項８】
樹脂製ボトルの首部の外側に形成される螺条部に螺合する螺条部を内側に有する蓋部と、首部基端側に配設され未開封時には前記蓋部に切り取り部を介して連結され且つ開封時に前記切り取り部の破断により前記蓋部と分離する係止部とを有する樹脂製キャップであって、前記係止部は径方向外側に突出する突出部を有することを特徴とする樹脂製キャップ。
【発明の詳細な説明】
【技術分野】
【０００１】
本発明は飲料物などの収容し得るペットボトルなどの樹脂製ボトル容器に関し、特に、回転式の樹脂製キャップを有する樹脂製ボトル容器に関する。
【背景技術】
【０００２】
ペットボトルなどの樹脂製ボトル容器は、飲料用の液体物の販売や携帯に際して軽くてコストも比較的に安価であり、容器本体自体は丈夫であって内容物を保持する機能にも優れていることから、広く使用されている。たとえば清涼飲料水やお茶などの飲み物については、ポリエチレンテレフタレート樹脂をボトル状中空に成形した容器本体に飲み口となる首部が形成され、その首部に樹脂製のキャップが螺合するように取り付けられている。
【０００３】
このようなペットボトル容器を未開封な状態から使用する場合には、使用者が概ね円筒形状のキャップを中心軸廻りに捩じるように力を加える。すると、キャップの一部が破断して、さらに回すことでキャップが容器の首部から外れる構造を有している。すなわち、未開封な状態から開封するには、キャップの一部を破断するような力が必要であり、通常の大人や子供でも加えることができる力加減であるが、高齢者や健康でない方にとっては時折そのような力をキャップに与えることが困難となる。
【０００４】
そこで、新しいキャップの構造としてキャップの周側面に複数の滑り止め用の突起部を設けた例（例えば、特許文献１参照。）や、レンチなどの回転を支援するような工具を取り付け可能とするキャップ構造（例えば、特許文献２参照。）が知られている。これらの技術を利用することで高齢者などのキャップを回す力が弱い者でもキャップの開封ができ、また、中身を飲んでいる途中でキャップを閉めるように操作することができる。
【先行技術文献】
【特許文献】
【０００５】
【特許文献１】実用新案登録第3172698号公報
【特許文献２】特許第4783866号公報
【発明の概要】
【発明が解決しようとする課題】
【０００６】
しかしながら、キャップの周側面に複数の滑り止め用の突起部を設ける構造では、キャップを射出成型で作成する場合に金型から製品を取りだす作業に負担がかかり易く、キャップの蓋部の周側面の中ほどに突起部を形成する場合には、金型内の可動部材が必要とされたり、樹脂材料の使用量も増大してしまう。また、レンチなのキャップに嵌合する別部材を必要とする機構では、例えば、外出時やその別部材がない場所での開封に問題を生じることになる。
【０００７】
そこで、本発明は、上述の技術的な課題に鑑み、キャップを比較的に容易に製造することができる設計としながら、高齢者などの握力が弱い方でも開封ができる樹脂製ボトル容器の提供を目的とする。
【課題を解決するための手段】
【０００８】
上述の技術的な課題に鑑み、本発明の樹脂製ボトル容器は、液体を収容可能な中空の容器本体部と、前記容器本体部の一部に突設され外側に螺条部を有し内側が前記液体の流路となる首部とを有する樹脂製ボトルと、前記樹脂製ボトルの前記首部の外側の前記螺条部に螺合する螺条部を内側に有する蓋部と、首部基端側に配設され未開封時には前記蓋部に切り取り部を介して連結され且つ開封時に前記切り取り部の破断により前記蓋部と分離する係止部とを有する樹脂製キャップと有する樹脂製ボトル容器であって、前記樹脂製キャップの前記係止部に径方向外側に突出する突出部を有することを特徴とする。
【０００９】
また、本発明の樹脂製ボトル容器の好適な一例によれば、前記樹脂製キャップの前記係止部の内側には、前記首部に形成された鍔部に当接する抜け止め片が突設され、前記抜け止め片は複数の互いに離間した突設片からなり、複数の該突設片の離間した領域に単数若しくは複数の前記突出部が形成される。また、
前記突出部は前記係止部と同程度の肉厚を有する構造とすることもでき、前記樹脂製キャップは前記突出部を含んで一体に成形されても良い。さらに、前記突出部の表面にはリッジ部を形成することもできる。
【００１０】
また、本発明の樹脂製ボトル容器の好適な他の一例によれば、前記突出部の側部には、前記切り取り部と同様に破断可能な破断部が形成され、当該容器の開封後に前記破断部を破断して前記係止部を当該樹脂製ボトルの前記首部から離脱することを特徴とする。
【００１１】
さらに、本発明の樹脂製キャップについては、樹脂製ボトルの首部の外側に形成される螺条部に螺合する螺条部を内側に有する蓋部と、首部基端側に配設され未開封時には前記蓋部に切り取り部を介して連結され且つ開封時に前記切り取り部の破断により前記蓋部と分離する係止部とを有する樹脂製キャップであって、前記係止部は径方向外側に突出する突出部を有することを特徴とする。
【図面の簡単な説明】
【００１２】
【図１】本発明の一実施形態の樹脂製ボトル容器の要部斜視図である。
【図２】図１のII-II線に沿って切断し矢視方向に見た断面図である。
【図３】本発明の一実施形態の樹脂製ボトル容器の係止部の平面図である。
【図４】本発明の一実施形態の樹脂製ボトル容器の係止部の底面図である。
【図５】本発明の一実施形態の樹脂製ボトル容器の係止部の要部斜視図である。
【図６】本発明の他の実施形態の樹脂製ボトル容器の係止部の要部斜視図である。
【図７】本発明の更に他の実施形態の樹脂製ボトル容器の係止部の要部底面図である。
【発明を実施するための形態】
【００１３】
図１及び図２は本発明の一実施形態の樹脂製ボトル容器を示す図である。図１に示すように、本実施形態の樹脂製ボトル容器１０は、飲料物などの液体を収納する樹脂製ボトル１２と、その樹脂製ボトル１２の栓の開閉を行う樹脂製キャップ２０とを有している。樹脂製ボトル１２は、例えば透明若しくは半透明の比較的に割れ難い例えばポリエチレンテレフタレート樹脂などにより成形されたボトルであり、収納する液体の体積に応じて２．０リットルや５００ｍリットルなどの所要のサイズを有する中空でここでは略円筒形状の容器本体部１４と、収納する液体の流路となる首部１６とを有している。略円筒形状の首部１６は、容器本体部１４の上側の一部で該円筒形状の軸方向が垂直となる様に突設され、周側面の外側に螺条部１８を有し内側が液体の流路とされ、当該首部１６の内部流路を介して容器本体部１４内の液体を外部に流出させることができる。首部１６の外周面に形成される螺条部１８は首部１６の外周面から所要の高さで突出する樹脂部分であり、首部１６の外周面の中ほど基端部寄りで径方向に突設された鍔部１７から液体の出口となる口部１９の間に形成される螺旋状の突条部である。首部１６の鍔部１７から基端側の周側面には、係止部保持溝１３が形成され、その基端側に径方向に比較的に大きく突設された鍔状底部１５が形成される。係止部保持溝１３は次に説明する樹脂製キャップ２０の係止部２６を保持するための鍔部１７と鍔状底部１５の間の溝である。
【００１４】
樹脂製ボトル１２の首部１６に、取り付けられる樹脂製キャップ２０は首部１６に螺合して液体を封止する蓋部２２と、開封時に切り取り部２４の破断により蓋部２２と分離する係止部２６とを有する。蓋部２２の内側には、首部１６の外側の螺条部１８に螺合する螺条部２８が設けられている。蓋部２２の螺条部２８は、当該樹脂製キャップ２０を回転させた際には、首部１６の螺条部１８に沿って、蓋部２２の螺条部２８が移動し、蓋部２２を首部１６の軸方向にゆっくりと回転しながら移動させることができる。樹脂製キャップ２０の開封前では、蓋部２２の下端部は切り取り部２４を介して係止部２６と連結している。係止部２６の形状は、概ね円筒形状の所定の肉厚の円環状であり、首部１６の基端側が先端側よりも少し径大とされ、樹脂製キャップ２０の開封前では係止部２６の上端部は切り取り部２４を介して蓋部２２の下端部に連結する。切り取り部２４は蓋部２２と係止部２６の間の切り取り線として機能する部分であり、蓋部２２と係止部２６の切断部と互いに離間しながら蓋部２２と係止部２６の間を連結し開封時に破断される複数の小さな樹脂連結部からなる。
【００１５】
係止部２６の内側には、複数の抜け止め片２９が突設され、開封時には抜け止め片２９が首部１６に形成された鍔部１７に当たることで軸方向に係り止められ、その結果、更なる回転が樹脂製キャップ２０に加えられた場合には、切り取り部２４が破断して蓋部２２と係止部２６が分離することになる。抜け止め片２９は弾性変形できるように係止部２６の内側で斜め上方向を向いて突設されており、樹脂製キャップ２０の組み立て時には抜け止め片２９は弾性変形して鍔部１７を越えて押し込まれて鍔部１７の下側面と抜け止め片２９が係合しながら係止部保持溝１３に回転可能に保持される。
【００１６】
一般に、樹脂製キャップ２０は、金型を使用した射出成形によって形成されており、１つの金型内で複数個形成されたものが、個々に分離された後、内容物である液体の封入時には、各樹脂製キャップ２０が首部１６の軸方向から押圧されて嵌め込まれる。この時、係止部２６の内側の抜け止め片２９は弾性変形して鍔部１７を越えて押し込まれ、係止部２６が係止部保持溝１３内に保持される。
【００１７】
本実施形態の樹脂製ボトル容器１０には、開封時に抜け止めされる係止部２６の外周面に径方向外側に突出する突出部３０が形成される。突出部３０は係止部２６の一部を通常の円環形状よりも径方向外側に膨らんで成形された部材であり、樹脂製キャップ２０の成形時に同時に同じ樹脂で成形される。突出部３０は一例として係止部２６の突出部３０が形成されていない部分と同程度の肉厚を有して形成される。突設部３０の側面には、表面のギザギザ部分としてリッジ部３２が形成される。係止部２６の周面から垂直に立ち上がって突出部３０のリッジ部３２に連続する形状とされるが、その垂直に立ち上がる側壁部分の肉厚は、係止部２６と同程度とすることもでき、より薄い肉厚としても良い。
【００１８】
本実施形態では、図３、図４に示すように、樹脂製キャップ２０の係止部２６の内側の１つの抜け止め片２９とそれに隣接する抜け止め片２９の間の領域で径方向外側に膨らむように形成されており、本実施形態では中心角９０度ずつの角度で離間して４つの方向に膨らむように形成される。個々の突出部３０は、先端側で切り取り部２４を介して蓋部２２の下端部に連結され、基端側ではやや径が広がるように傾斜を以って設けられている。このように底部が広がるような突設部３０を用いることで、当該樹脂製ボトル容器１０の開栓時には、利用者が指を突設部３０にも掛けながら樹脂製キャップ２０を全体で回すことができ、特に突設部３０は蓋部２２のリッジが形成された外周面２１よりも回転軸から遠い位置となり、梃子の原理からより樹脂製キャップ２０を回転させる力を強くすることができる。同時に、利用者は樹脂製キャップ２０の蓋部２２の外周面２１も従来からのキャップと同様に回転させることができ、突設部３０に対しても力が加わることから、力の弱い高齢者でも樹脂製キャップ２０を容易に開栓することができる。
【００１９】
また、本実施形態のように、突出部３０を基端側ではやや径が広がるように傾斜を以って設けることで、樹脂製キャップ２０自体を容易に成形することができる。即ち、射出成形で樹脂製キャップ２０を形成する場合には、射出後の金型の分離時にはキャップの軸方向に雄型を引くことになるが、突出部３０を基端側ではやや径が広がるように傾斜を以って設ける場合には、キャップを金型から容易に分離することが可能であり、型の回り込み部分や型内部の可動部材なども不要であり、樹脂製キャップ２０の量産に極めて有利である。
【００２０】
本実施形態にかかる樹脂製キャップ２０は、突設部３０を係止部２６の外周面に径方向外側に突出するように４つ形成した例として説明したが、その数は１つでも良く、４つ以外の２つ、３つ或いは５個乃至１２個のような数であっても良い。また、形状については、基端側ではやや径が広がるように傾斜を以って設ける例について説明したが、他の係止部２６の外周面に径方向外側に突出する形状の部材であれば他の形状とすることもできる。また、突設部３０を係止部２６と同時に一体に形成するものとして説明したが、別部材を後から組み合わせるような工法で構成しても良く、２色成形などにより別材料で構成することも可能である。
【００２１】
図５は係止部２６の外周面に形成された突設部３０を側面から見た図である。突設部３０の側面には、表面のギザギザ部分としてリッジ部３２が形成される。このリッジ部３２のギザギザ部分の間隔は等間隔とすることもでき、部分的に変えることもできる。図６は実施形態の樹脂製ボトル容器１０の変形例であり、突設部４０の近傍には、係止部４２のリングを分断できる切り取り部４４が形成され、ボトルの開封後に、使用済みとなった係止部４２を切り取り部４４で破断し、ポリエチレンテレフタレート樹脂などの容器形成材料だけをリサイクルする場合に有利である。切り取り部４４で破断する場合にも、突設部４０に指を掛けて容易に力を加えることができる。
【００２２】
図７は係止部５２の外周面に形成された突設部５０の断面形状を示しており、片方が係止部５２の外周面から立ち上がる側壁５４を有しており、底面側から見た水平断面で、異なる形状の突設部５０を形成することも可能である。また、突設部５０の頂点、稜線を利用者の指の掛け具合を損わない程度に角丸にしても良い。
【００２３】
本実施形態の樹脂製ボトル容器は、樹脂製キャップ２０の係止部２６の外周面に突設部３０を有していることから、利用者はキャップ２０自体の開封を容易に行うことができ、力の弱い高齢者であってもキャップの開栓が他人の助力に頼らずにできることになる。また、突設部の形状によっては、量産される樹脂製キャップに対応でき、製品コストの低減に寄与する。
【００２４】
なお、本実施形態においては、突設部は係止部の外周面から樹脂を突設させることで形成するものといて説明したが、係止部の外周面の一部に凹部を形成して相対的な突設部を形成することもでき、また、利用者が指で操作しやすいように、係止部の周面の摩擦を高くするような凹凸面を形成するようにすることも可能である。また、突設部の上端部は必ずしも切り取り部に臨んでいなくとも良く、突設部のみ樹脂の硬さを係止部と変えるように構成することも可能である。
【符号の説明】
【００２５】
１０  樹脂製ボトル容器
１２  樹脂製ボトル
１３  係止部保持溝
１４  容器本体部
１５  鍔状底部
１６  首部
１７  鍔部
１８  螺条部
１９  口部
２０  樹脂製キャップ
２１  外周面
２２  蓋部
２４  切り取り部
２６  係止部
２８  螺条部
２９  抜け止め片
３０  突設部
３２  リッジ部
４０  突設部
４２  係止部
４４  切り取り部
５０  突設部
５２  係止部
５４  側壁
【図１】
2019182493.tif 000003
【図２】
2019182493.tif 000004
【図３】
2019182493.tif 000005
【図４】
2019182493.tif 000006
【図５】
2019182493.tif 000007
【図６】
2019182493.tif 000008
【図７】
2019182493.tif 000009